(57)【要約】【課題】より簡易な構成でノイズ除去及び音質改善を行うことのできる電力補正装置及び電力補正方法を提供する。【解決手段】本発明の一観点に係る電力補正装置は、電源から供給される入力信号を伝える第一の信号線と、電源から供給され入力信号と対をなす回路起点信号を伝える第二の信号線と、を備える電圧補正装置であって、入力信号の入力を受けるキャパシタ、キャパシタに接続される抵抗、抵抗に接続されるフィードバック回路、フィードバック回路に接続される反転回路、を備えるものである。また、本発明の他の一観点に係る電力補正方法は、電源から供給される入力信号及び負荷の変動により生ずる信号に対して高周波のノイズを除去するとともに、低周波の入力信号成分に対して位相遅延を生じさせるものである。【選択図】図１
2020114118.tif 000002
【特許請求の範囲】
【請求項１】
電源から供給される入力信号を伝える第一の信号線と、
前記電源から供給され前記入力信号と対をなす回路起点信号を伝える第二の信号線と、を備える電圧補正装置であって、更に、
前記入力信号の入力を受けるキャパシタ、前記キャパシタに接続される抵抗、前記抵抗に接続されるフィードバック回路、前記フィードバック回路に接続される反転回路、を備える電力補正装置。
【請求項２】
前記フィードバック回路は、周波数に応じて位相遅延を行う請求項１記載の電力補正装置。
【請求項３】
前記フィードバック回路におけるフィルター定数は、１ｋＨｚ以上２５ｋＨｚ以下の範囲にある請求項１記載の電力補正装置。
【請求項４】
電源から供給される入力信号及び負荷の変動により生ずる信号に対して高周波のノイズを除去するとともに、低周波の入力信号成分に対して位相遅延を生じさせる電力補正方法。
【発明の詳細な説明】
【技術分野】
【０００１】
本発明は電力補正装置及び電力補正方法に関する。
【背景技術】
【０００２】
家庭用の電子機器、例えばハイエンドオーディオや液晶ディスプレイ等は、電力会社から供給される商用電源に、コンセントを直接接続して使用するのが一般的である。通常、電力会社から家庭に供給される電力は、電圧１００Ｖ又は２００Ｖ、周波数５０Ｈｚ又は６０Ｈｚのサイン波の交流によって構成されており、家庭用電子機器も上記電圧、周波数に対応するよう設計されている。
【０００３】
しかしながら、電力会社から供給される電力は、経由する変電所、電線等の外部による影響、更には、接続されている家電製品に備えられている半導体素子の動作等の家庭内の他の機器による影響によって完全なサイン波とはなっておらず、高調波を含む歪みが生じてしまっている。例えば従来のＰＷＭ技術を用いたスイッチング方式のインバータ制御では、たとえ軽量でも内蔵されたスイッチング回路よりノイズが発生するため、電源装置自身のノイズが電源出力に混入してしまう、またそのノイズ低減のためにフィルター回路を付加しなければならず、例えば上記ハイエンドオーディオ等では聴感等の性能に影響を与えてしまう、といった課題がある。
【０００４】
このように歪みを含む電圧波形に対し補正を行おうとする技術は、例えば下記特許文献１等によって提案されている。
【０００５】
また、本件特許出願人は、電圧補正を行う装置として、下記特許文献２に記載の技術を提案している。
【先行技術文献】
【特許文献】
【０００６】
【特許文献１】特開２００４−１９４３８０号公報
【特許文献２】特許第５８１８３９５号公報
【発明の概要】
【発明が解決しようとする課題】
【０００７】
しかしながら、上記特許文献１に記載の技術は、基準のサイン波を構成したとしてもその波形増幅には大きなアンプを備えなければならない等装置の大型化、構成の複雑化をもたらすことになる。
【０００８】
また、上記特許文献２に記載の技術によると、簡便な構成で電力補正を行うことができるが、ノイズ除去を行う性能に特化したものであって、音の深みなど音質改善に関する検討は不十分である。
【０００９】
一般に、音楽においては、適度な反響音や残響等が存在することによって、音の深みを感じることができる。電源から供給される入力信号に重畳していたノイズが除去された電源によって生ずる音はクリアな音質となるがその音に更に深みを得ることができればより高性能な装置になるといえる。
【００１０】
そこで、本発明は上記課題に鑑み、より簡易な構成でノイズ除去及び音質改善を行うことのできる電力補正装置及び電力補正方法を提供することを目的とする。
【課題を解決するための手段】
【００１１】
本発明者らは、上記課題について鋭意検討を行ったところ、本来アンプ（オーディオアンプおよびギターアンプを含む）等の負荷の前段に配置する電力補正装置において、負荷側の電力変化の影響を加味した電圧補正を行うことでノイズ除去及び音質改善効果を得ることができる点を発見し、本発明を完成させるに至った。
【００１２】
すなわち、本発明の一観点に係る電力補正装置は、電源から供給される入力信号を伝える第一の信号線と、電源から供給され入力信号と対をなす回路起点信号を伝える第二の信号線と、を備える電圧補正装置であって、入力信号の入力を受けるキャパシタ、キャパシタに接続される抵抗、抵抗に接続されるフィードバック回路、フィードバック回路に接続される反転回路、を備えるものである。
【００１３】
また、本発明の他の一観点に係る電力補正方法は、電源から供給される入力信号及び負荷の変動により生ずる信号に対して高周波のノイズを除去するとともに、低周波の入力信号成分に対して位相遅延を生じさせるものである。
【発明の効果】
【００１４】
以上、本発明によって、より簡易な構成でノイズ除去及び音質改善を行うことのできる電力補正装置及び電力補正方法を提供することができる。
【図面の簡単な説明】
【００１５】
【図１】実施形態に係る電力補正装置の概略等価回路を示す図である。
【図２】実施形態に係る電力補正装置の動作のイメージを示す図である。
【図３】実施例において作製した電力補正装置の等価回路図を示す図である。
【図４】実施例における電力補正装置の測定結果を示す図である。
【発明を実施するための最良の形態】
【００１６】
以下、本発明の実施形態について図面を用いて詳細に説明する。ただし、本発明は多くの異なる形態による実施が可能であり、以下に示す実施形態、実施例に記載の具体的な例示にのみ限定されるわけではない。
【００１７】
（構造）
図１は、本実施形態に係る電力補正装置（以下「本装置」という。）１の概略等価回路を示す図である。
【００１８】
本図で示すように、本装置１は、電源（入力側）から供給される入力信号を伝える第一の信号線Ｗ1と、電源から供給され入力信号と対をなす回路起点信号を伝える第二の信号線Ｗ2と、を備える電圧補正装置であって、更に、入力信号の入力を受けるキャパシタＣ、キャパシタＣに接続される抵抗Ｒ、抵抗Ｒに接続されるフィードバック回路Ｆ、フィードバック回路Ｆに接続される反転回路Ｉ、を備える。また、反転回路Ｉは、上記第二の信号線Ｗ２に接続されている。また、本装置１において、第一の信号線Ｗ１及び第二の信号線Ｗ２はそれぞれ本装置１に接続されるアンプ等の音響装置（負荷）に接続される。本装置１は、これらの素子、回路を備えて電圧補正を行う。
【００１９】
本実施形態において、電源から供給される信号は、少なくとも入力信号と回路基点信号に分けられて供給される。具体的には、本装置１では上記の通り少なくとも二本の信号線（第一の信号線Ｗ1及び第二の信号線Ｗ２）を備え、一方には入力信号を、他方には回路基点信号をそれぞれ電気的に接続し、装置内に伝播させる。
【００２０】
ここで「入力信号」とは、電源、好ましくは外部の商用電源から供給される交流信号であるが、これに限定されず、後述するように直流電源から供給される直流信号であっても良い。ここでは説明の観点からまず交流電圧、より具体的にはサイン波的に変化するサイン波信号を例に説明する。
【００２１】
一方、「回路基点信号」とは、上記入力信号と対になって入力される信号であり、一般には、変動する入力信号と異なり理想的には常時対地０Ｖとなっている。この結果、入力信号と回路基点信号の間の電圧差が負荷に対する入力電圧となる。このような電圧供給は、例えば二穴のコンセント及びこれに挿入される二つのプラグによって一般に普及している電圧供給方法である。
【００２２】
また本実施形態において、入力信号は、途中で分岐し、一方はそのまま第一の信号線Ｗ1を介して負荷に出力され、他方は上記キャパシタＣ、抵抗Ｒ、フィードバック回路Ｆ、反転回路Ｉ等を介して変調を加えられた後、第二の信号線Ｗ2側に出力される。他方、電源から供給される回路基点信号は、入力信号に変調を加えた信号を加えられた後、第二の信号線Ｗ２により出力信号の他方の出力となる。
【００２３】
また、本装置１におけるキャパシタＣは、後段の抵抗Ｒと相まってフィルターとして機能させるために用いられるものであって、上記した通り、第一の信号線Ｗ１に接続され、外部電源からの入力信号を受け、その結果、入力信号のうちの特定の周波数成分の位相をずらす、別言すれば周波数に応じて位相遅延を行い出力することができる。なお、キャパシタＣは、一つであってもよいが複数のキャパシタＣが直列的に又は並列的に接続された回路を構成していてもよい。
【００２４】
また、キャパシタＣの容量としては上記機能を有する限りにおいて限定されるわけではない。ただし、後段の抵抗と相まって、フィードバック回路及び反転回路の出力電圧が適正な電圧範囲に収めることができる程度のものであればよく、入力信号が交流であって、５０〜６０Ｈｚ、電圧が１００〜２００Ｖ程度である場合、例えば０．００１μＦ以上０．１μＦ以下であることが好ましい。なお、入力信号が直流である場合は、上記より大きくすることができる。
【００２５】
また、本装置１における抵抗Ｒは、上記キャパシタＣと相まってハイパスフィルターとして機能させるために用いられるものであって、上記した通り、第一の信号線Ｗ１上であって、上記キャパシタＣに直列的に接続することで、特定の周波数成分の位相をずらして出力させる、別言すれば周波数に応じて位相遅延を行い出力することができる。なお、抵抗Ｒについては、上記キャパシタＣのときと同様、一つであってもよいが複数の抵抗Ｒを直列的又は並列的に接続させた回路構造となっていてもよい。
【００２６】
また、抵抗Ｒの抵抗値としても、上記機能を有する限りにおいて限定されるわけではないが、上記のように、入力信号が交流であって、５０〜６０Ｈｚ、電圧が１００〜２００Ｖ程度である場合、１ｋΩ以上１００ｋΩ以下であることが好ましい。このようにすることで、上記キャパシタと相まって好ましい電圧範囲とすることができる。
【００２７】
具体的に、上記キャパシタＣと抵抗Ｒで構成されるハイパスフィルターのフィルター定数としては、限定されるわけではないが、１ｋＨｚ以上２５ｋＨｚ以下の範囲にあることが好ましく、より好ましくは５ｋＨｚ以上２０ｋＨｚ以下である。この範囲とすることで、後述の記載からも明らかであるが、不要な周波数範囲の信号を除去することができるとともに、負荷であるアンプ等の音響装置の電力変動により生ずる信号に応じ、音質を高めるための適度な反響及び残響等を発生させることができるようになる。
【００２８】
また、本装置１において、フィードバック回路Ｆは、入力信号に乗ったノイズ等の信号を負帰還させるために用いられるものであって、この限りにおいて限定されるわけではないが、例えばオペアンプＦＡと、このオペアンプの出力側に接続されるオペアンプ負帰還抵抗ＦＲを備えて構成されていることが好ましい。なおこの場合において、オペアンプＦＡのマイナス側入力には上記オペアンプ負帰還抵抗ＦＲの他方の端子が接続されており、プラス側入力は第二の信号線Ｗ２側に接続されている。
【００２９】
また、本装置１において、反転回路Ｉは、フィードバック回路Ｆに接続され、この出力信号に対して極性の反転処理、好ましくは増幅又は減衰処理を施す。反転回路Ｉの構造としては特に限定されるわけではないが、例えば入り口側抵抗ＩＲ１、この入り口側抵抗ＩＲ１に接続され、この出力側がマイナス側に入力されるオペアンプＩＡ、オペアンプＩＡの出力側の導線とマイナス入力側の導線部分の間に接続されるオペアンプ負帰還抵抗ＩＲ２、オペアンプＩＡの出力側に接続される出力側抵抗ＩＲ３を設けて構成することが好ましい。なお、この反転回路Ｉによる出力側の導線部分は、上記の通り、第二の信号線Ｗ２に接続されている。なお、オペアンプＩＡのプラス側入力は上記フィードバック回路ＦのオペアンプＦＡと同様に第二の信号線Ｗ２側に接続されている。
【００３０】
なお、第二の信号線Ｗ２には、その途中に、別途、抵抗ＷＲが配置されている。より具体的には、上記反転回路Ｉにおける抵抗ＩＲ３が第二の信号線Ｗ２と接続する位置よりも入力側、更には、上記オペアンプＩＡのプラス側の端子が第二の信号線Ｗ２に接続された位置よりは出力側、に配置される。本装置１ではこの抵抗ＷＲを設けることで、入力側の変動や出力側（負荷）の変動により生ずる信号が生じた場合でも、その変動に追随させることでこの変動によるノイズ等の信号をキャンセルすることができる。
【００３１】
（動作原理）
ここで、本装置１を用いた電力補正方法（以下「本方法」という。）について説明する。本方法は、上記の通り、電源から供給される入力信号に対して高周波のノイズを除去するとともに、低周波の入力信号成分に対して位相遅延を生じさせるものである。図２に、この動作原理において用いるフィードバック回路Ｆの出力における位相のずれ及び信号の減衰のイメージを示す。
【００３２】
まず、入力信号は、電源から入力された後、第一の信号線Ｗ１を介してアンプ等の負荷に出力される。他方、第一の信号線Ｗ１は途中で分岐され、上記の通り導線を介してキャパシタＣ、抵抗Ｒ、フィードバック回路Ｆ、反転回路Ｉを介して、特定の周波数成分の位相を遅延させる。具体的には２００ｋＨｚより高い周波数成分はキャンセルされ、１ｋＨｚ以下の周波数成分は減衰が大きいため本装置１は機能せず、その間の周波数成分（１ｋＨｚ以上２００ｋＨｚ以下程度の範囲）は、９０度から０度の間で連続的に変化しつつ遅延される。この場合、具体的には抵抗Ｒ、キャパシタＣ及びフィードバック回路Ｆの組み合わせによる周波数遅延のイメージを図２に示しておく。本図で示すように、２００ｋＨｚより高い周波数成分は遅延がなく伝達されるためそのまま第二の信号線Ｗ２に伝わる一方、第二の信号線Ｗ２に接続されている抵抗ＷＲによって同様の値が第二の信号線Ｗ２に生ずることによって変動分がキャンセルすることになる一方、１ｋＨｚ以下の信号は減衰されるため無視できる。一方、１ｋＨｚ以上２００ｋＨｚ以下の信号は一定量遅延することとなるため、残響又は反響として結果的に適切な音質向上に寄与することになる。
【００３３】
一方、負荷は上記の通り、第一の信号線Ｗ１にも接続されているとともに、負荷の信号処理によっても入力信号は変化する。すなわち、負荷によって生じる変動も入力信号となり、上記キャパシタＣ、抵抗Ｒ等の回路部に入力されることとなる。この結果、負荷の信号処理に対しても上記と同様の処理が加えられることになる。
【００３４】
ところで、負荷が音響装置である場合、発生させる音の周波数成分を当然に含んでいる。そして本装置１ではこの音に含まれる周波数成分のうち特定の周波数成分、具体的には音の観測者が認識できる音の周波数成分に特化して遅延を生じさせる。すると、この音響成分が観測者にとって反響や残響等として認識され、音の深みとして認識されることになるのである。
【００３５】
以上、本発明によって、より簡易な構成でノイズ除去及び音質改善を行うことのできる電力補正装置及び電力補正方法を提供することができる。
【実施例】
【００３６】
なおここで、実際に上記電圧補正装置を作製し、その効果をＦＦＴサーボアナライザ（アドバンテスト社、Ｒ９２１１Ｂ）にてこの装置の効果を確認した。図３にこの装置の等価回路図を、図４にＦＦＴサーボアナライザによる結果を示しておく。
【００３７】
この結果、位相の遅れとキャンセルを確認することができ、フィルターとして機能するとともに、適度な残響及び反響を生じさせることができるのを確認した。
【００３８】
また、自身でもハイエンドオーディオ機器を所有するオーディオマニア又は音楽愛好家５名（被験者）に対し、市販のオーディオ機器（ハイエンドスピーカーシステム（パイオニア社製）、ＣＤプレーヤー（テアック社）、アンプ（アキュフェーズ社））を用い、本装置を接続した場合（オーディオ機器の電源プラグを本装置に差し込み、更に本装置の電源プラグをコンセントに差し込んだ状態）と、接続しなかった場合（直接電源プラグをコンセントに差し込んだだけの状態）の機器比べ試験を行い、その音質の定性的な評価を行った。この結果、被験者いずれもが本装置を接続した場合、接続しなかった場合に比べて適度な反響又は残響が生じており、音の深みが増す等音質が大きく改善されており、音楽的プレゼンテーションが向上したとの評価結果を得た。またこの結果は、真空管アンプを用いたオーディオ機器の場合も同様の効果を得ることができた。
【産業上の利用可能性】
【００３９】
本発明は、電力補正装置及び電力補正方法として産業上の利用可能性がある。
【図１】
2020114118.tif 000003
【図２】
2020114118.tif 000004
【図３】
2020114118.tif 000005
【図４】
2020114118.tif 000006